(57)【要約】【課題】  マルチメディアメッセージのメッセージ本文や添付ファイルの受信を行うか否かの判断を着信通知に基づいて従来よりも容易に行うことができる移動体通信端末及びマルチメディアメッセージ用情報処理装置を提供する。【解決手段】  本移動体通信端末（携帯電話機）１０は通信部１１０と記憶部１１１と出力部１１２とを備える。通信部１１０は、携帯電話通信網２０を介してマルチメディアメッセージ用情報処理装置（ＭＭＳＣ）２５から、ＭＭＳメッセージの差出人及び件名の情報とともにメッセージ本文の少なくとも一部を含む着信通知を受信する。記憶部１１１は、通信部１１０で受信した着信通知の受信データを記憶する。出力部１１２は、メッセージ本文の少なくとも一部を含む着信通知の受信データを出力する。着信通知の受信データは、メッセージ本文の文末の有無を識別するための文末識別情報（EOLフラグ）を有するのが好ましい。【選択図】  図１２
2006119853.tif 000002
【特許請求の範囲】
【請求項１】
通信ネットワークを介してマルチメディアメッセージ用情報処理装置から、複数のメディアタイプのデータを含めることができるマルチメディアメッセージの着信通知を受信する移動体通信端末であって、
通信ネットワークを介してマルチメディアメッセージ用情報処理装置から、該マルチメディアメッセージの差出人及び件名の情報とともに該マルチメディアメッセージのメッセージ本文の少なくとも一部を含む着信通知を受信する通信手段と、
該通信手段で受信した着信通知の受信データを記憶する記憶手段と、
該メッセージ本文の少なくとも一部を含む着信通知の受信データを出力する出力手段とを備えたことを特徴とする移動体通信端末。
【請求項２】
請求項１の移動体通信端末において、
上記着信通知の受信データは、上記マルチメディアメッセージのメッセージ本文の文末の有無を識別するための文末識別情報を有することを特徴とする移動体通信端末。
【請求項３】
請求項２の移動体通信端末において、
上記文末識別情報は、上記着信通知のヘッダーに設定した上記メッセージ本文の文末有無判断用フィールドのデータであることを特徴とする移動体通信端末。
【請求項４】
請求項２又は３の移動体通信端末において、
上記着信通知に上記メッセージ本文の全体が含まれているとき、該メッセージ本文の全体を受信した旨を通知するためのメッセージ全文完結通知を上記マルチメディアメッセージ用情報処理装置に送信するように上記通信手段を制御する制御手段を備えたことを特徴とする移動体通信端末。
【請求項５】
複数のメディアタイプのデータを含めることができるマルチメディアメッセージを通信ネットワークを介して移動体通信端末間で送受信するためのマルチメディアメッセージ用情報処理装置であって、
通信ネットワークを介して送信側の移動体通信端末から該マルチメディアメッセージを受信するメッセージ受信手段と、
該メッセージ受信手段で受信したマルチメディアメッセージを記憶するメッセージ記憶手段と、
該マルチメディアメッセージを受信したときに、該マルチメディアメッセージの差出人及び件名の情報とともに該マルチメディアメッセージのメッセージ本文の少なくとも一部を含む着信通知の送信データを生成する着信通知データ生成手段と、
該着信通知の送信データを通信ネットワークを介して該移動体通信端末に送信する着信通知データ送信手段とを備えたことを特徴とするマルチメディアメッセージ用情報処理装置。
【請求項６】
請求項５のマルチメディアメッセージ用情報処理装置において、
上記着信通知データ生成手段は、上記マルチメディアメッセージのメッセージ本文の文末の有無を識別するための文末識別情報を含めるように上記着信通知の送信データを生成することを特徴とするマルチメディアメッセージ用情報処理装置。
【請求項７】
請求項６のマルチメディアメッセージ用情報処理装置において、
上記文末識別情報は、上記着信通知のヘッダーに設定した上記メッセージ本文の文末有無判断用フィールドのデータであることを特徴とするマルチメディアメッセージ用情報処理装置。
【請求項８】
請求項６又は７のマルチメディアメッセージ用情報処理装置において、
上記着信通知を受信した移動体通信端末から上記通信ネットワークを介して、該着信通知により上記メッセージ本文の全体を受信した旨を通知するためのメッセージ全文完結通知を受信するメッセージ全文完結通知受信手段と、
該メッセージ全文完結通知に基づいて、上記メッセージ記憶手段に記憶している該メッセージ本文を削除するメッセージデータ処理手段とを備えたことを特徴とするマルチメディアメッセージ用情報処理装置。
【発明の詳細な説明】
【技術分野】
【０００１】
本発明は、複数のメディアタイプのデータを含めることができるマルチメディアメッセージの着信通知を送受信する携帯電話機等の移動体通信端末及びマルチメディアメッセージ用情報処理装置に関するものである。
【背景技術】
【０００２】
従来、この種の移動体通信端末として、移動体通信ネットワーク等の通信ネットワークを介して、他の移動体通信端末との間でメッセージを送受信可能な携帯電話機などの移動体通信端末が知られている。当初、移動体通信ネットワークにおける伝送能力が悪かったため、上記移動体通信端末間で送受信されるメッセージの種類は、所定サイズ以下のテキストデータに限られていた。その後、移動体通信ネットワークにおける伝送能力の向上により、テキストのデータサイズが拡張されたメッセージや、静止画像等のデータが添付されたメッセージも送受信できるようになってきている。特に最近では、データ伝送速度が高速の移動体通信システムを用いて、テキスト、グラフィック、ビデオ、オーディオ等の複数のメディアタイプのデータをメッセージとして送受信可能なマルチメディアメッセージングサービス（ＭＭＳ）が提供されるようになってきている（例えば、非特許文献１及び特許文献１参照）。
【０００３】
【非特許文献１】Multimedia Messaging Service Architecture Overview Version 1.2 (OMA-MMS-ARCH-v1_2-20030920-C)
【特許文献１】特開２００２−２８１５５０号公報
【発明の開示】
【発明が解決しようとする課題】
【０００４】
上記ＭＭＳでは、マルチメディアメッセージ（ＭＭ）を構成するメッセージ本文全体やその添付ファイルがＭＭの宛先である受信側の移動体通信端末へ送信される前に、そのＭＭの差出人、件名、送信日時等の書式的事項を含む着信通知が、当該受信側の移動体通信端末に送信される。受信側の移動体通信端末では、着信通知を確認した利用者がメッセージ本文等の受信操作をすることにより、上記ＭＭのメッセージ本文全体や添付ファイルを受信することができる。
ところが、上記マルチメディアメッセージ（ＭＭ）の着信通知に含まれる差出人、件名、送信日時等の書式的事項に関する情報では、そのＭＭのメッセージ本文や添付ファイルの受信を行うか否かの判断が難しい場合があった。
【０００５】
本発明は以上の問題点に鑑みなされたものであり、その目的は、マルチメディアメッセージのメッセージ本文や添付ファイルの受信を行うか否かの判断を着信通知に基づいて従来よりも容易に行うことができる移動体通信端末及びマルチメディアメッセージ用情報処理装置を提供することである。
【課題を解決するための手段】
【０００６】
上記目的を達成するために、請求項１の発明は、通信ネットワークを介してマルチメディアメッセージ用情報処理装置から、複数のメディアタイプのデータを含めることができるマルチメディアメッセージの着信通知を受信する移動体通信端末であって、通信ネットワークを介してマルチメディアメッセージ用情報処理装置から、該マルチメディアメッセージの差出人及び件名の情報とともに該マルチメディアメッセージのメッセージ本文の少なくとも一部を含む着信通知を受信する通信手段と、該通信手段で受信した着信通知の受信データを記憶する記憶手段と、該メッセージ本文の少なくとも一部を含む着信通知の受信データを出力する出力手段とを備えたことを特徴とするものである。
また、請求項２の発明は、請求項１の移動体通信端末において、上記着信通知の受信データは、上記マルチメディアメッセージのメッセージ本文の文末の有無を識別するための文末識別情報を有することを特徴とするものである。
また、請求項３の発明は、請求項２の移動体通信端末において、上記文末識別情報は、上記着信通知のヘッダーに設定した上記メッセージ本文の文末有無判断用フィールドのデータであることを特徴とするものである。
また、請求項４の発明は、請求項２又は３の移動体通信端末において、上記着信通知に上記メッセージ本文の全体が含まれているとき、該メッセージ本文の全体を受信した旨を通知するためのメッセージ全文完結通知を上記マルチメディアメッセージ用情報処理装置に送信するように上記通信手段を制御する制御手段を備えたことを特徴とするものである。
また、請求項５の発明は、複数のメディアタイプのデータを含めることができるマルチメディアメッセージを通信ネットワークを介して移動体通信端末間で送受信するためのマルチメディアメッセージ用情報処理装置であって、通信ネットワークを介して送信側の移動体通信端末から該マルチメディアメッセージを受信するメッセージ受信手段と、該メッセージ受信手段で受信したマルチメディアメッセージを記憶するメッセージ記憶手段と、該マルチメディアメッセージを受信したときに、該マルチメディアメッセージの差出人及び件名の情報とともに該マルチメディアメッセージのメッセージ本文の少なくとも一部を含む着信通知の送信データを生成する着信通知データ生成手段と、該着信通知の送信データを通信ネットワークを介して該移動体通信端末に送信する着信通知データ送信手段とを備えたことを特徴とするものである。
また、請求項６の発明は、請求項５のマルチメディアメッセージ用情報処理装置において、上記着信通知データ生成手段は、上記マルチメディアメッセージのメッセージ本文の文末の有無を識別するための文末識別情報を含めるように上記着信通知の送信データを生成することを特徴とするものである。
また、請求項７の発明は、請求項６のマルチメディアメッセージ用情報処理装置において、上記文末識別情報は、上記着信通知のヘッダーに設定した上記メッセージ本文の文末有無判断用フィールドのデータであることを特徴とするものである。
また、請求項８の発明は、請求項６又は７のマルチメディアメッセージ用情報処理装置において、上記着信通知を受信した移動体通信端末から上記通信ネットワークを介して、該着信通知により上記メッセージ本文の全体を受信した旨を通知するためのメッセージ全文完結通知を受信するメッセージ全文完結通知受信手段と、該メッセージ全文完結通知に基づいて、上記メッセージ記憶手段に記憶している該メッセージ本文を削除するメッセージデータ処理手段とを備えたことを特徴とするものである。
【０００７】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記移動体通信端末及びマルチメディアメッセージ用情報処理装置における制御や情報処理は、その移動体通信端末及びマルチメディアメッセージ用情報処理装置それぞれに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行ってもいいし、コンピュータネットワーク等の通信ネットワークを用いて行ってもよい。
【発明の効果】
【０００８】
本発明によれば、移動体通信端末は、マルチメディアメッセージの差出人及び件名の情報とともに、そのマルチメディアメッセージのメッセージ本文の少なくとも一部を含む着信通知を受信することができる。このマルチメディアメッセージの差出人等の情報ととも、その着信通知の受信データに含まれるメッセージ本文部分を出力することができるので、マルチメディアメッセージのメッセージ本文や添付ファイルの受信を行うか否かの判断を従来よりも容易に行うことができるという効果がある。
【発明を実施するための最良の形態】
【０００９】
以下、図面を参照して本発明の実施の形態について説明する。
図１は本実施形態に係る通信システム全体の概略構成の一例を示す説明図である。この通信システムは、移動体通信端末としての携帯電話機１０Ａ，１０Ｂと、通信ネットワークとしての携帯電話通信網２０とを用いて構成されている。携帯電話通信網２０は、基地局２１と、コアネットワーク２０１と、ＩＰ（Internet Protocol）ネットワーク２０２と、ＳＭＳＣ（Short Message Service Center）２９とを備えている。
【００１０】
上記基地局２１は、管轄対象のセルごとに設けられ、携帯電話通信網２０内の有線回線からのデータを無線インタフェースに合うデータフォーマットに変換し、管轄対象のセル内にある携帯電話機１０Ａ，１０Ｂに無線周波数で送信する。逆に無線周波数で送信される携帯電話機１０Ａ，１０Ｂからのデータを受信して有線インタフェースに合うデータフォーマットに変換し、携帯電話通信網２０内の有線回線部分に転送する。
【００１１】
上記コアネットワーク２０１は、図示しない位置登録データベース（ＨＬＲ，ＶＬＲ）、加入者データベース、課金システム等を有し、各携帯電話機間の通信等を中継するように通信制御を行う。更に、コアネットワーク２０１は、各携帯電話機と、携帯電話通信網２０内の構成要素との間における通信を中継するように通信制御を行う。また、コアネットワーク２０１は、各携帯電話機と他の通信ネットワークとの間における通信を中継するように通信制御を行う。
【００１２】
また、上記コアネットワーク２０１は、回線交換網のほかパケット交換網を有している。このパケット交換網は、ＳＧＳＮ（Serving GPRS Support Node）２２やＧＧＳＮ（Gateway GPRS Support Node）２３等のノードを有している。ＳＧＳＮ２４は、基地局２１が接続されている図示しない無線ネットワークコントローラとコアネットワーク２０１側のパケット交換網との間のゲートウェイ機能と、各携帯電話機１０Ａ，１０Ｂの位置管理、セキュリティ管理及びアクセス制御を行う機能とを有している。また、ＧＧＳＮ２３は、コアネットワーク２０１側のパケット交換網と、ＩＰネットワーク２０２との間のゲートウェイ機能を有している。
【００１３】
上記ＩＰネットワーク２０２は、プロキシサーバ２４、マルチメディアメッセージ用情報処理装置としてのＭＭＳＣ（Multimedia Messaging Service Center）２５、ゲートウェイサーバ２６、ＰＰＧ（Push Proxy Gateway）サーバ２７、その他図示しないＷＥＢサーバ等を有している。
【００１４】
上記プロキシサーバ２４は、各携帯電話機１０Ａ，１０Ｂと、ＩＰネットワーク２０２内のサーバやインターネット上のサーバとの間の通信を中継する処理を行う。このプロキシサーバ２４は、コアネットワーク２０１における通信プロトコルとＩＰネットワーク２０２やインターネット３０等の他の通信ネットワークにおける通信プロトコルが異なる場合に、両通信プロトコルを合わせるためのプロトコル変換機能も有している。
なお、このＩＰネットワーク２０２の中に、ＷＥＢサーバや、コンテンツをダウンロードするためのダウンロードサーバを設けてもよい。
【００１５】
上記ＭＭＳＣ２５は、メッセージボックス（メッセージデータベース）を有し、次のようなマルチメディアメッセージ（以下「ＭＭＳメッセージ」という。）の処理を行う。例えば、ＭＭＳＣ２５は、送信側の携帯電話機１０Ａから送信されたＭＭＳメッセージを受信すると、そのＭＭＳメッセージをメッセージボックスに一旦保存し、ＰＰＧサーバ２７やＳＭＳＣ２９等を介して受信側の携帯電話機１０ＢにＭＭＳメッセージの着信通知を送信する。この着信通知は、差出人（From）、件名（Subject）、メッセージ本文の冒頭部分（X-Mms-Notif-Text）などのデータが記述される所定のフィールドからなるヘッダー部を有している。ここで、メッセージ本文が短い場合は、そのメッセージ本文の全体が上記メッセージ本文用のフィールド（X-Mms-Notif-Text）に記述される。上記着信通知のヘッダー部は、送信日時（Date）のデータが記述されるフィールドを有するようにしてもよい。また、上記着信通知のデータは、先頭から複数の分割データである所定サイズ（例えば１４０バイト）のパケットに分割されて送信される。この分割されるパケットの数には特に制限はないが、通常３〜５個程度のパケットに分割される。本実施形態では着信通知を３個のパケットに分割して送信している。
【００１６】
上記着信通知を構成する複数のパケットはそれぞれ、ＭＭＳＣ２５から送信される順番に、上記ＭＭＳメッセージのメッセージ本文の冒頭部分を先頭から順番に分割したデータを含んでいる。例えば、第１番目のパケットには、メッセージ本文の所定サイズの冒頭部分のうち、先頭側のほぼ３分の１の部分が含まれている。第２番目のパケットには、上記冒頭部分の中央のほぼ３分の１の部分が含まれる。また、第３番目のパケットには、上記冒頭部分の後端側のほぼ３分の１の部分が含まれる。また、各パケットはＳＭＳＣ２９を経由してＳＭＳで携帯電話機に配信されるため、各パケットのデータサイズは、ＳＭＳによって配信可能なサイズ（例えば１４０バイト）に設定される。
【００１７】
また、上記ＭＭＳＣ２５は、受信側の携帯電話機１０Ｂからメッセージ取得要求を受けると、必要に応じて所定のフォーマット変換を行い、受信側の携帯電話機１０Ｂに送信する。また、ＭＭＳＣ２５は、インターネット３０から携帯電話機１０Ａ，１０Ｂ宛のＭＭＳメッセージを受信したときも着信通知を行った後、必要に応じて所定のフォーマット変換を行い、受信側の携帯電話機１０ＢへＭＭＳメッセージを送信する。
【００１８】
図２は、上記ＭＭＳＣ２５のハードウェア構成の一例を示すブロック図である。なお、上記ダウンロードサーバ５０も同様に構成することができる。このＭＭＳＣ２５は、システムバス２１０、ＣＰＵ２１１、内部記憶装置、外部記憶装置２１４、入力装置２１５、出力装置２１６、及び通信装置２１７を備えている。上記内部記憶装置は、ＲＡＭ２１２やＲＯＭ２１３等で構成されている。上記外部記憶装置は、ハードディスクドライブ（ＨＤＤ）や光ディスクドライブ等で構成されている。上記入力装置２１５は、マウスやキーボード等で構成されている。上記出力装置２１６は、ディスプレイやプリンタ等で構成されている。上記通信装置２１７は、所定の通信プロトコルにより、携帯電話通信網２０上のプロキシサーバ２６やＰＰＧサーバ２７と通信したり、ゲートウェイサーバ２６を介してインターネット３０上の各種クライアント端末や他のサーバと通信したりするための装置である。
上記ＣＰＵ２１１やＲＡＭ２１２等の構成要素はお互いに、システムバス２１０を介して、データやプログラムの命令等のやり取りを行っている。このＭＭＳＣ２５を所定の手順に従って動作させるためのプログラムはＲＯＭ２１３や外部記憶装置２１４に記憶されており、必要に応じてＣＰＵ２１１やＲＡＭ２１２上の作業エリアに呼び出されて実行される。
【００１９】
また、上記ＭＭＳＣ２５は、一部又は全体を専用の制御装置として構成してもいいし、一部又は全体を汎用のコンピュータシステムを用いて構成してもよい。また、はそれぞれ、１台のコンピュータで構成してもいいし、複数の機能をそれぞれ受け持つ複数台のコンピュータをネットワークで結んで構成してもよい。
【００２０】
図３は、本実施形態に係るＭＭＳＣ２５の主要な機能を抽出して示した機能ブロック図である。このＭＭＳＣ２５は、メッセージ通信部２５１とメッセージ記憶部２５２と着信通知データ生成部２５３と着信通知データ送信部２５４とメッセージ処理部２５５とを備えている。
【００２１】
上記メッセージ通信部２５１は上記通信装置２１７等で構成され、携帯電話通信網２０を介して送信側の携帯電話機１０ＡからＭＭＳメッセージを受信する手段としての機能を有する。すなわち、このメッセージ通信部２５１は、送信側の携帯電話機１０Ａから送信され基地局２１やプロキシサーバ２４等を経由して伝送されてきた受信側の携帯電話機１０Ｂ宛のＭＭＳメッセージを受信する。また、このメッセージ通信部２５１は、他の通信端末からインターネット３０及び携帯電話通信網２０を介して送られてきたＭＭＳメッセージを受信する手段としての機能も有する。
【００２２】
また、上記メッセージ通信部２５１は、上記着信通知を受信した受信側の携帯電話機１０Ｂから携帯電話通信網２０を介して、その着信通知によりメッセージ本文の全体を受信した旨を通知するためのメッセージ全文完結通知を受信するメッセージ全文完結通知受信手段としての機能も有する。このメッセージ全文完結通知は、着信通知に対する応答であるメッセージ着信通知応答のヘッダーを構成するフィールド（「X-Mms-Status」）のデータとして、携帯電話機１０Ｂから受信することができる。例えば、携帯電話機１０Ｂが着信通知によって添付ファイルがないＭＭＳメッセージのメッセージ本文の全体を受信できたときは、上記「X-Mms-Status」フィールドのデータとして「Retrieved」が設定されたメッセージ着信通知応答を受信する。一方、携帯電話機１０Ｂが着信通知によってメッセージ本文の一部しか受信しなかったとき、又は着信通知に係るＭＭＳメッセージが添付ファイルを有するときは、上記「X-Mms-Status」フィールドのデータとして「Deferred」が設定されたメッセージ着信通知応答を受信する。
【００２３】
上記メッセージ記憶部２５２は上記外部記憶装置２１４等の記憶装置で構成され、メッセージ通信部２５１で受信したＭＭＳメッセージを記憶するメッセージ記憶手段として機能する。すなわち、このメッセージ記憶部２５２は前述のメッセージボックス（メッセージデータベース）に対応し、送信側の携帯電話機１０Ａや他の通信端末から送信されてきたＭＭＳメッセージを送信元の情報や送信先の情報等と対応付けて記憶している。
【００２４】
上記着信通知データ生成部２５３は上記ＣＰＵ２１１等で構成され、ＭＭＳメッセージを受信したときに、そのＭＭＳメッセージの差出人及び件名の情報とともに、そのＭＭＳメッセージのメッセージ本文の少なくとも一部を含む着信通知の送信データを生成する着信通知データ生成手段としての機能を有する。このメッセージの本文データは、着信通知の送信データのヘッダーに設定したメッセージ本文用フィールドのテキストデータとして含めることができる。例えば、新規に定義された「X-Mms-Notif-Text」のフィールドに、ＭＭＳメッセージのメッセージ本文の全体又は一部を入力する。
【００２５】
また、本実施形態では、上記着信通知の送信データに含めることができるメッセージのサイズが、ＳＭＳで配信可能な所定サイズに制限されている。そのため、着信通知の送信データには、メッセージ本文の全体が含まれる場合もあるし、メッセージの本文の一部分（例えば冒頭部分のみ）しか含まれない場合もある。ここで、着信通知の送信データにメッセージ本文の全体が含まれているか否かを判断できるように、そのメッセージ本文の文末の有無を識別するための文末識別情報を有するように着信通知の送信データを生成するのが好ましい。この文末識別情報は、上記着信通知のヘッダーに設定したメッセージ本文の文末有無判断用フィールドのフラグデータとして含めることができる。例えば、新規に定義された「X-Mms-Notif-EOL」のフィールド（以下「ＥＯＬフラグ」という）に、メッセージ本文の文末が有る場合は「１」を入力し、文末が無い場合は「０」を入力する。このメッセージ本文の文末の有無は、例えばＭＭＳメッセージのメッセージ本文の全体サイズと上記メッセージ本文用フィールドのサイズとを比較することによって判断することができる。メッセージ本文の全体サイズが上記メッセージ本文用フィールドのサイズよりも大きい場合はメッセージ本文の文末無しと判断する。一方、メッセージ本文の全体サイズが上記メッセージ本文用フィールドのサイズ以下の場合はメッセージ本文の文末有りと判断する。
なお、本実施形態では、ＭＭＳメッセージの添付ファイルのデータを着信通知に含めることができないので、ＭＭＳメッセージに添付ファイルがある場合は、一律にメッセージ本文の文末無しの文末識別情報にする。これにより、受信側の携帯電話機１０Ｂで添付ファイルのデータを続き受信できるようにしている。
【００２６】
上記着信通知データ送信部２５４は上記通信装置２１７等で構成され、上記着信通知データ生成部２５３で生成した着信通知の送信データを携帯電話通信網２０を介して受信側の携帯電話機１０Ｂに送信する着信通知データ送信手段としての機能を有する。すなわち、この着信通知データ送信部２５４は、ＭＭＳメッセージの差出人及び件名の情報とともにメッセージ本文の少なくとも一部を含む着信通知の送信データを、携帯電話通信網２０のＰＰＧサーバ２７やＳＭＳＣ２９等を介して、受信側の携帯電話機１０Ｂに送信する。
なお、上記着信通知データ送信部２５４は、上記着信通知の送信データを複数の分割データであるパケットに分割して送信するように構成してもよい。この分割されるパケットの数には特に制限はないが、通常３〜５個程度のパケットに分割される。この着信通知は、差出人（From）、件名（Subject）、メッセージ本文（X-Mms-Notif-Text）などのデータが記述される所定のフィールドからなるヘッダー部を有する。この着信通知の各パケットは、ＭＭＳＣ２５から送信される順番に、上記メッセージのメッセージ本文の冒頭部分を先頭から順番に分割したデータを含んでいる。例えば、第１番目のパケットには、メッセージ本文の所定サイズの冒頭部分のうち、先頭側のほぼ３分の１の部分が含まれている。第２番目のパケットには、上記冒頭部分の中央のほぼ３分の１の部分が含まれる。また、第３番目のパケットには、上記冒頭部分の後端側のほぼ３分の１の部分が含まれる。また、各パケットはＳＭＳＣ２９を経由してＳＭＳで携帯電話機に配信されるため、各パケットのデータサイズは、ＳＭＳによって配信可能なサイズ（例えば１４０バイト）に設定される。
【００２７】
上記メッセージ処理部２５５は上記ＣＰＵ２１１等で構成され、上記メッセー通信部２５１で受信したメッセージ全文完結通知に基づいて、メッセージ記憶部（メッセージボックス）２５２に記憶している上記着信通知に係るＭＭＳメッセージを削除するメッセージデータ処理手段としての機能を有する。例えば、上記「X-Mms-Status」フィールドのデータとして「Retrieved」が設定されたメッセージ着信通知応答を受信したときは、その着信通知に対応するＭＭＳメッセージを削除する。
【００２８】
図４は、ＭＭＳ（Multimedia Messaging Service）を提供する上記ＭＭＳＣ２５を介して携帯電話機１０Ａ，１０Ｂ間で送受信されるＭＭＳメッセージの説明図である。このＭＭＳメッセージは、ＲＦＣ（Request for Comments）８２２，２８２２，２０４５，２０４６，２０４７，２０４９等で仕様が規定されているＭＩＭＥ（Multipurpose Internet Mail Extension）対応のインターネットテキストフォーマットのメッセージである。このＭＭＳメッセージは、メッセージ本文６０とヘッダー６１とにより構成されている。ＭＭＳメッセージのメッセージ本文６０は、テキスト情報のほか、音声、イメージ、ビデオ、オーディオなどの様々なメディアによる情報のデータを含めるように構成することができる。また、ＭＭＳメッセージのヘッダー６１は、送信側の携帯電話機などの通信端末において送信メッセージに関する様々な情報のデータが入力される各種フィールドで構成されている。
【００２９】
なお、上記ＭＭＳ、ＭＭＳＣ、ＭＭＳメッセージ等は、次の（１）〜（３）等に規定されている仕様に準拠するものである。
（１）Multimedia Messaging Service Architecture Overview Version 1.2 (OMA-MMS-ARCH-v1_2-20030920-C)
（２）Multimedia Messaging Service Client Transactions Version 1.2 (OMA- MMS-CTR-v1_2-20030916-C)
（３）Multimedia Messaging Service Encapsulation Protocol Version 1.2 (OMA-MMS-ENC-v1_2-20030915-C)
【００３０】
上記ゲートウェイサーバ２６は、携帯電話通信網２０のＩＰネットワーク２０２とインターネット３０との間のゲートウェイ機能とファイヤウォール機能とを有している。
【００３１】
上記ＰＰＧサーバ２７は、ＭＭＳＣ２５から受信したプッシュリクエストに基づいて、上記着信通知等のプッシュ型のメッセージを、ＳＭＳＣ２９を経由して携帯電話機１０Ａ，１０Ｂに送信する。
【００３２】
上記ＳＭＳＣ２９は、ショートメッセージサービス（ＳＭＳ）を提供するものであり、サイズ制限（例えば１２８バイト）のあるショートメッセージを送信側の携帯電話機１０Ａから受信し、受信側の携帯電話機１０Ｂに送信する。また、ＳＭＳＣ２９は、放送形式で複数の携帯電話機にへ一斉にショートメッセージを送信することもできる。
【００３３】
上記携帯電話通信網２０のＩＰネットワーク２０２を介して接続されているインターネット３０には、各種コンテンツ提供用のサーバが接続されている。このコンテンツ提供用のサーバとしては、ＷＥＢページのコンテンツを主に提供するＷＥＢサーバ４０や、画像ファイル、音楽ファイル、アプリケーションのプログラムファイルなどのコンテンツを主に提供するダウンロードサーバ５０等がある。
【００３４】
上記インターネット３０上の各種コンテンツ提供サーバから携帯電話機１０Ａ，１０Ｂにコンテンツをダウンロードするときには、ネットワークの各階層において所定の通信プロトコルが用いられる。例えば、ＷＥＢサーバ４０からＷＥＢページをダウンロードするときのアプリケーション層の通信プロトコルとしては、ＨＴＴＰ（HyperText Transfer Protocol）、Ｗ−ＨＴＴＰ（Wireless HyperText Transfer Protocol）、ＷＴＰ(Wireless Transaction Protocol)、ＷＳＰ（Wireless Session Protocol）等が用いられる。
【００３５】
図５は携帯電話機１０（１０Ａ、１０Ｂ）の一構成例を示す外観図であり、図６は、その携帯電話機１０のハードウェア構成を示す概略構成図である。また、図７は、携帯電話機１０におけるソフトウェア構造の説明図である。
この携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５、携帯電話通信網用通信装置１０６、ＧＰＳ受信装置１０７を備えている。ＣＰＵ１０１やＲＡＭ１０２等の構成要素は、システムバス１００を介して、互いに各種データやプログラムの命令等のやり取りを行っている。
【００３６】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＷＥＢブラウザー、メーラー、音楽再生、動画表示、外部装置とのデータ送受信、アドレス帳管理、スケジューラ、メモ帳等がある。このＷＥＢブラウザー、メーラー、音楽再生、動画表示等のアプリケーションを起動し、そのアプリケーション上でＭＭＳメッセージの送受信を行ったり、受信したＭＭＳメッセージに含まれるテキストや画像（静止画、動画）コンテンツや音声や音楽等のオーディオコンテンツを出力したりしてもよい。
【００３７】
また、上記ＣＰＵ１０１は、上記記憶装置から所定のプログラムを読み込んで実行することにより、上記ネイティブ側の電話機プラットフォームとは異なるアプリケーション実行環境を構築することができる。そして、このアプリケーション実行環境上で、携帯電話機にプリインストールされているアプリケーションや利用者がダウンロードして登録したアプリケーション等の各種アプリケーションを実行することができる。このアプリケーションとしては、プラットフォームに依存しないオブジェクト指向プログラミングによって開発されたＪＡＶＡ（登録商標）、Ｃ＋＋等のプログラム言語で記述されたアプリケーションや、Ｃ言語やアセンブリ言語で記述されたアプリケーションなどが挙げられる。また、これらのアプリケーション実行環境は、例えばＪＡＶＡ（登録商標）の仮想マシン（ＶＭ：Virtual Machine）やＢＲＥＷ（登録商標）等のミドルウェアによって構築される。
【００３８】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、ＭＭＳメッセージを送受信したり、ＭＭＳメッセージに添付されている画像ファイルを展開して表示したり、音楽ファイルを展開して再生したり、アプリケーションプログラムを選択して実行したりすることができる。また、利用者は上記操作部を操作することにより、コンテンツ取得先のＵＲＬ等のデータを入力したり、電話着信の際に通話の開始及び終了を行ったり、アプリケーションプログラムの選択、起動及び停止を行ったりすることができる。また、利用者は上記操作部を操作することにより、上記ダウンロードサーバ５０から画像ファイル、音楽ファイル、アプリケーションプログラム等のコンテンツをダウンロードして登録することができる。
【００３９】
上記出力装置１０５は、表示手段である液晶ディスプレイ（ＬＣＤ）１７、スピーカー１８、図示しない振動デバイス等から構成されている。上記液晶ディスプレイ（ＬＣＤ）１７やスピーカー１８等からなる出力装置で構成されている出力部は、携帯電話通信網２０からＭＭＳメッセージやその着信通知を受信した旨を利用者に知らせたり、ＭＭＳメッセージのテキストや画像（静止画、動画）を液晶ディスプレイ（ＬＣＤ）１７に表示したり、ＭＭＳメッセージに添付の音声や音楽をスピーカー１８から出力したりするときに用いられる。上記ＭＭＳメッセージやその着信通知の受信を利用者に知らせるときは、出力部の液晶ディスプレイ（ＬＣＤ）１７に着信報知画像を表示したり、スピーカー１８から着信音を出力させたりする。
また、上記出力部は、携帯電話通信網２０を介して受信したＷｅｂページを液晶ディスプレイ（ＬＣＤ）１７に表示したり、携帯電話通信網２０から情報を着信した旨を利用者に知らせたりするときにも用いられる。また、上記出力部は、上記ゲーム等のアプリケーションプログラムの実行中に、そのプログラム実行に関連した画像の表示や音の出力に用いたり、情報配信サーバから受信した情報を表示したりするときにも用いられる。
なお、上記スピーカー１８は、通話中の音声を聞くための受話器用スピーカー（レシーバ）と、着信音や音楽などを出力する外部出力用スピーカーとを別々に設けて構成してもいいし、これらの受話器用スピーカー及び外部出力用スピーカーを兼用するように一つのスピーカーで構成してもよい。
【００４０】
上記出力装置１０５を構成する振動デバイスは、この振動デバイスは、マナーモード（サイレントモード）設定時などに音声電話を着信したりＭＭＳメッセージや各種配信情報を受信したりしたときに、携帯電話機１０の全体を振動させ、その着信等を利用者に知らせるように制御することができる。
【００４１】
上記携帯電話通信網用通信装置１０６は、変復調器、シンセサイザ、周波数変換器，高周波増幅器などにより構成され、携帯電話通信網２０を介して他の携帯電話機や上述したサーバ１１等と通信するときに用いられる。この携帯電話通信網用通信装置１０６は、携帯電話通信網２０を介して他の携帯電話機とＭＭＳメッセージのやり取りを行ったり、携帯電話通信網２０からゲートウェイサーバを介して、インターネット等の外部の通信ネットワークに接続し、インターネット上の通信端末とのＭＭＳメッセージのやり取り等を行ったりするための通信手段として用いられる。更に、この携帯電話通信網用通信装置１０６は、携帯電話通信網２０を介して、ダウンロードサーバ５０が提供するアプリケーションプログラムをダウンロードしたり、現在位置の位置情報を含む配信情報を受信したりする情報受信手段としても用いられる。
【００４２】
図８は、本実施形態に係る携帯電話機１０（１０Ａ，１０Ｂ）の主要な機能を抽出して示した機能ブロック図である。この携帯電話機１０は、通信部１１０と記憶部１１１と出力部１１２と制御部１１３とを備えている。
【００４３】
上記通信部１１０は上記携帯電話通信網用通信装置１０６等で構成され、携帯電話通信網２０を介してＭＭＳＣ２５から、当該携帯電話機１０宛のＭＭＳメッセージの差出人及び件名の情報とともに、そのＭＭＳメッセージのメッセージ本文の少なくとも一部を含む着信通知を受信する通信手段としての機能を有する。すなわち、この通信部１１０は、ＨＴＴＰ等の所定の通信プロトコルを用いた通信により、ＭＭＳメッセージに対する着信通知のデータを複数に分割したパケット（分割データ）を互いに独立に携帯電話通信網２０を介して受信する。また、通信部１１０は、他の携帯電話機から携帯電話通信網２０を介して送られてきたＭＭＳメッセージを受信するメッセージ受信手段としての機能も有する。また、通信部１１０は、他の通信端末からインターネット３０及び携帯電話通信網２０を介して送られてきたＭＭＳメッセージを受信する手段としての機能も有する。
なお、上記ＭＭＳＣ２５がＭＭＳメッセージに対する着信通知のデータを複数に分割したパケット（分割データ）で送信する場合、上記通信部１１０は着信通知のデータを構成する複数パケットのデータを互いに独立に携帯電話通信網２０を介して受信する。この複数パケットのデータを制御部１１３で連結処理される。
【００４４】
上記記憶部１１１は上記ＲＡＭ１０２やＲＯＭ１０３等の記憶装置で構成され、通信部１１０で受信した着信通知の受信データを記憶する記憶手段としての機能を有する。また、この通信部１１０で受信したＭＭＳメッセージを記憶するメッセージ記憶手段としての機能を有する。
【００４５】
上記出力部１１２は上記出力装置１０５等で構成され、通信部１１０で受信したメッセージ本文の少なくとも一部を含む着信通知の受信データを出力する出力手段としての機能を有する。また、出力部１１２は、ＭＭＳメッセージのメッセージ本文のデータをテキストや画像（静止画、動画）コンテンツとしてディスプレイ上に表示したり、音声や音楽等のオーディオコンテンツとしてスピーカーやイヤホンから出力したりすることもできる。
なお、上記ＭＭＳＣ２５がＭＭＳメッセージに対する着信通知のデータを複数に分割したパケット（分割データ）で送信する場合、上記出力部１１２は、通信部１１０で受信した複数のパケットの分割データを連結してＭＭＳメッセージの着信通知として出力する。
【００４６】
上記制御部１１３は上記ＣＰＵ１０１等で構成され、上記通信部１１０による着信通知の送信やＭＭＳメッセージの受信、上記記憶部１１１へのＭＭＳメッセージや着信通知の保存、上記出力部１１２へのＭＭＳメッセージや着信通知の出力等を制御する制御手段としての機能を有する。
【００４７】
また、上記制御部１１３は、上記着信通知にメッセージ本文の全体が含まれているとき、そのメッセージ本文の全体を受信した旨を通知するためのメッセージ全文完結通知をＭＭＳＣ２５に送信するように通信部１１０を制御する制御手段としての機能も有する。このメッセージ全文完結通知は、着信通知に対する応答であるメッセージ着信通知応答のヘッダーを構成するフィールド（「X-Mms-Status」）のデータとして送信することができる。例えば、着信通知によって添付ファイルがないメッセージ本文の全体を受信できたときは、上記「X-Mms-Status」フィールドのデータとして「Retrieved」を設定する。一方、着信通知によってメッセージ本文の一部しか受信しなかったとき、又は着信通知に係るＭＭＳメッセージが添付ファイルを有するときは、上記「X-Mms-Status」フィールドのデータとして「Deferred」を設定する。
【００４８】
図９は、上記構成の通信システムにおいて携帯電話機１０Ａ、１０Ｂ間でＭＭＳメッセージを送受信するときの処理手順の一例を示すシーケンス図である。このメッセージ送受信処理では、メッセージ本文の一部を含む複数のパケットからなるメッセージ着信通知を受けた携帯電話機１０Ｂにおいて利用者が手動でメッセージの受信を行っている。
【００４９】
まず、送信側の利用者は、携帯電話機１０Ａを操作してＭＭＳメッセージ用のアプリケーションを起動し、ＭＭＳメッセージを作成する。そして、送信相手先のアドレスを指定して上記ＭＭＳメッセージを送信するように利用者が携帯電話機１０Ａを操作すると、携帯電話機１０Ａは、「ＨＴＴＰ  ＰＯＳＴ」によるメッセージ送信要求をＭＭＳＣ２５に送信する（ステップＳ１）。
【００５０】
ＭＭＳＣ２５は、上記メッセージ送信要求に対して「ＨＴＴＰ  ２００  ＯＫ」によるメッセージ送信応答を送信側の携帯電話機１０Ａに送信する（ステップＳ２）。その後、ＭＭＳＣ２５は、「ＳＭＳ」によるメッセージ着信通知を、ＰＰＧサーバ２７を経由して受信側の携帯電話機１０Ｂに送信する（ステップＳ３，Ｓ４）。このメッセージ着信通知の送信は、前述のようにメッセージ着信通知を分割した複数のパケット（分割データ）について実行される。
【００５１】
次に、受信側の携帯電話機１０Ｂは、待受け画面（図１０のＤ１０１参照）を表示した待受け状態で記メッセージ着信通知の少なくとも第１番目のパケットをＭＭＳＣ２５から受信すると、着信通知用に予め設定しておいたテキストや画像等からなる着信通知画面（図１０のＤ１０２、Ｄ１０３参照）を出力部のディスプレイ１７に表示したり、着信通知用に予め設定しておいた音声、特殊音、メロディー、音楽等を出力部のスピーカー１８から出力したりする。例えば、図１０のＤ１０２に示すような「メッセージ受信あり」等の着信通知メッセージをディスプレイ１７に表示する。このようなディプレイ１７上の着信通知表示やスピーカーからの着信通知音の出力により、受信側の携帯電話機１０Ｂの利用者は、自分宛のＭＭＳメッセージが届いていることを知ることができる。その着信通知の後、受信側の利用者は、任意のタイミングで、ＭＭＳメッセージを受信するように携帯電話機１０Ｂを操作することができる。例えば、図１０のＤ１０２、Ｄ１０３の着信通知画面の「表示」に対応するキーを押下する操作を行う。この操作により、着信メッセージを一覧形式で表示したメッセージボックス内の着信メッセージのリスト情報の画面（図１０のＤ１０４参照）が表示される。このメッセージボックスのリスト情報の画面上で新着メッセージの行を選択した状態で利用者が多機能キー（Ｆキー）１５を押下すると、着信通知で受信したメッセージ本文の冒頭部分が、添付ファイルの有無に関する情報とともに表示される。
【００５２】
次に、受信側の携帯電話機１０Ｂは、上記メッセージ着信通知に対して、「ＨＴＴＰ  ＰＯＳＴ」によるメッセージ着信通知応答をＭＭＳＣ２５に送信する（ステップＳ５）。このメッセージ着信通知応答の送信も、上記メッセージ着信通知を構成する複数のパケットごとに実行される。受信側の携帯電話機１０Ｂは、受信できなかったパケットについては、メッセージ着信通知応答を送信しない。ＭＭＳＣ２５は、携帯電話機１０Ｂが受信できなかったパケットについて所定のタイミングで再送する。
【００５３】
ＭＭＳＣ２５は、上記メッセージ着信通知応答を受信した後、「ＳＭＳ」によるメッセージ配信完了通知を、ＰＰＧサーバ２７を経由して送信側の携帯電話機１０Ａに送信する（ステップＳ６，Ｓ７）。このメッセージ配信完了通知のヘッダーには、ＭＭＳ用フィールドの一つである「X-Mms-Status: Deferred」が記述され、このヘッダーフィールドのデータを参照することにより、送信側の携帯電話機１０Ａは、メッセージ着信通知が受信側の携帯電話機１０Ｂに配信され、ＭＭＳメッセージの受信待ちの状態になっていることを認識することができる。
【００５４】
次に、受信側の利用者が上記着信通知を受けたＭＭＳメッセージのメッセージ本文の残りの部分及び添付ファイルを受信するときは、上記ＭＭＳメッセージ用のアプリケーション上で当該ＭＭＳメッセージを指定して受信処理を開始するように携帯電話機１０Ｂを操作する。例えば、上記着信通知の個別表示画面（図１０のＤ１０５参照）の「続き受信」に対応するキーを押下したり、オプション表示の画面（図１０のＤ１０６参照）で「１．全メッセージ取得」を選択した状態で画面上の「選択」に対応するキーを押下したりする。この操作により、受信側の携帯電話機１０Ｂは、「ＨＴＴＰ  ＧＥＴ」によるメッセージ受信要求をＭＭＳＣ２５に送信する（ステップＳ８）。このメッセージ受信要求を送信すると、ディスプレイ１７には「メッセージ取得中．．．」の画面（図１０のＤ１０７参照）が表示される。
なお、着信通知を構成するパケットの一部しか受信できていない連結未完了状態の着信通知の場合は、着信通知のリスト情報に表示され上記着信通知の個別表示画面（図１０のＤ１０５参照）を表示できたとしても、ＭＭＳメッセージの続き受信ができないように制御している。
【００５５】
ＭＭＳＣ２５は、上記メッセージ受信要求に対して「ＨＴＴＰ  ２００  ＯＫ」によるメッセージ受信応答を受信側の携帯電話機１０Ｂに送信する（ステップＳ９）。このメッセージ受信応答には、ＭＭＳＣ２５のメッセージボックスから読み出された受信対象のＭＭＳメッセージのメッセージ本文とそのメッセージ本文に対応するヘッダーが付加される。
【００５６】
次に、受信側の携帯電話機１０Ｂは、上記メッセージ受信応答に対して「ＨＴＴＰ  ２００  ＯＫ」による受信完了通知をＭＭＳＣ２５に送信する（ステップＳ１０）と、ディスプレイ１７上に「メッセージ取得完了」の画面（図１０のＤ１０８参照）を表示する。このメッセージ取得完了の画面上で「ＯＫ」に対応するキーを押下したり、所定時間経過したりすると、受信側の携帯電話機１０Ｂは、受信したＭＭＳメッセージのＭＩＭＥヘッダーの情報に基づいてメッセージ本文について後述の解釈処理を行った後、解釈処理後のＭＭＳメッセージの全文と添付ファイルの画像などを含むＭＭＳメッセージの画面（図１０のＤ１０９参照）をディスプレイ１７上に出力する。
【００５７】
ＭＭＳＣ２５は、上記受信完了通知を受信した後、「ＳＭＳ」によるメッセージ配信完了通知を、ＰＰＧサーバ２７を経由して受信側の携帯電話機１０Ｂに送信する（ステップＳ１１，Ｓ１２）。このメッセージ配信完了通知のヘッダーには、ＭＭＳ用フィールドの一つである「X-Mms-Status: Retrieved」が記述され、このヘッダーフィールドのデータを参照することにより、送信側の携帯電話機１０Ａは、ＭＭＳメッセージが受信側の携帯電話機１０Ｂに配信されたことを認識することができる。
【００５８】
図１１は、ＭＭＳＣ２５においてＭＭＳメッセージの着信通知を送信するときの制御手順の一例を示すフローチャートである。
ＭＭＳＣ２５は、携帯電話機１０Ｂ宛のＭＭＳメッセージを受信すると、ファイル添付の有無を判断するとともに、そのＭＭＳメッセージのメッセージ本文全体サイズと、着信通知のヘッダーのメッセージ本文用フィールド（「X-Mms-Notif-Text」）のサイズとを比較する（ステップS101〜S103）。
ここで、受信したＭＭＳメッセージにファイル添付がなく、しかもＭＭＳメッセージのメッセージ本文全体サイズが上記メッセージ本文用フィールドのサイズ以下であってメッセージ本文の文末まで着信通知に含めることができると判断したときは、着信通知のヘッダーのＥＯＬフラグ（「X-Mms-Notif-EOL」）に「１」を入力する（ステップS104）。
次に、ＭＭＳＣ２５は、上記ＭＭＳメッセージのメッセー本文全体をＭＭＳメッセージのメッセージ本文用フィールド（「X-Mms-Notif-Text」）に入力して着信通知の送信データを生成する（ステップS105）。そして、生成した着信通知の送信データをＰＰＧサーバ２７及びＳＭＳＣ２９を経由して受信側の携帯電話機１０Ｂに送信する（ステップS106）。
一方、上記ステップS102でファイル添付ありと判断したとき、又はＭＭＳメッセージのメッセージ本文全体サイズが上記メッセージ本文用フィールドのサイズよりも大きくメッセージ本文の文末まで着信通知に含めることができないと判断したときは、着信通知のヘッダーのＥＯＬフラグ（「X-Mms-Notif-EOL」）に「0」を入力する（ステップS107）。そして、ＭＭＳＣ２５は、上記ＭＭＳメッセージのメッセー本文の一部をＭＭＳメッセージのメッセージ本文用フィールド（「X-Mms-Notif-Text」）に入力して着信通知の送信データを生成し、その生成した着信通知の送信データをＰＰＧサーバ２７及びＳＭＳＣ２９を経由して受信側の携帯電話機１０Ｂに送信する（ステップS105，S106）。
【００５９】
図１２は、携帯電話機においてＭＭＳメッセージの着信通知を受信して出力するときの制御手順の一例を示すフローチャートである。
受信側の携帯電話機１０Ｂは、ＭＭＳＣ２５からＰＰＧサーバ２７及びＳＭＳＣ２９を経由してＭＭＳメッセージの着信通知データを受信すると（ステップS201）、上記着信通知のヘッダーのＥＯＬフラグ（「X-Mms-Notif-EOL」）が「１」であるか否かを判断する（ステップS202）。
【００６０】
ここで、ＥＯＬフラグ（「X-Mms-Notif-EOL」）が「１」であると判断したときは、メッセージ本文全体を含む着信通知をディスプレイ１７に表示する（図１３のD105'参照）。そして、携帯電話機１０Ｂは、メッセージ全文完結通知として、上記「X-Mms-Status」フィールドのデータとして「Retrieved」が設定されたメッセージ着信通知応答をＭＭＳＣ２５に送信する（ステップS204）。この場合は、着信通知後の続き受信はできない（ステップS205）。
【００６１】
一方、ＥＯＬフラグ（「X-Mms-Notif-EOL」）が「１」ではなく「０」であると判断したときは、メッセージ本文の一部を含む着信通知又は添付ファイルがあることを示す着信通知（図１０のD105参照）をディスプレイ１７に表示する（ステップS206）。そして、携帯電話機１０Ｂは、メッセージ全文未完結通知として、上記「X-Mms-Status」フィールドのデータとして「Deferred」が設定されたメッセージ着信通知応答をＭＭＳＣ２５に送信する（ステップS207）。次に、携帯電話機１０Ｂは、利用者による続き受信を行う操作（「続き受信」の選択操作）を受け付けると（ステップS208）、図９のシーケンスで示したように着信通知に対応するＭＭＳメッセージの続き受信を実行する（ステップS209）。
【００６２】
図１４は、ＭＭＳＣ２５においてメッセージ着信通知応答を受信したときのメッセージ処理手順の一例を示すフローチャートである。
ＭＭＳＣ２５は、上記受信側の携帯電話機１０Ｂからメッセージ着信通知応答を受信すると、そのメッセージ着信通知応答がメッセージ全文完結通知を含むか否かを判断する（ステップS301,S302）。すなわち、上記メッセージ着信通知応答のヘッダーの「X-Mms-Status」フィールドのデータが「Retrieved」であるか否かを判断する。
ここで、メッセージ全文完結通知を含む場合すなわち「X-Mms-Status」フィールドのデータが「Retrieved」である場合は、そのメッセージ全文完結通知で特定されるＭＭＳメッセージを削除する。一方、メッセージ全文完結通知ではなくメッセージ全文未完結通知を含む場合すなわち「X-Mms-Status」フィールドのデータが「Retrieved」ではなく「Deferred」である場合は、ＭＭＳメッセージの削除を行わずに終了する。
【００６３】
以上、本実施形態によれば、受信側の携帯電話機１０Ｂは、ＭＭＳメッセージの差出人及び件名の情報とともに、そのＭＭＳメッセージのメッセージ本文の少なくとも一部を含む着信通知を受信することができる。このＭＭＳメッセージの差出人等の情報ととも、その着信通知の受信データに含まれるメッセージ本文部分を出力することができるので、ＭＭＳメッセージのメッセージ本文や添付ファイルの続き受信を行うか否かの判断を従来よりも容易に行うことができる。
また、本実施形態によれば、上記着信通知が、その着信通知に含まれるメッセージ本文の文末の有無を識別するための文末識別情報（ＥＯＬフラグ）を有するので、携帯電話機１０Ｂは、着信通知の文末識別情報（ＥＯＬフラグ）に基づいてＭＭＳメッセージの続き受信に関する表示や操作について制御を行うことができる。
また、本実施形態によれば、上記文末識別情報が、着信通知のヘッダーに設定したメッセージ本文の文末有無判断用フィールド（「X-Mms-Notif-EOL」、ＥＯＬフラグ）のデータであるので、携帯電話機１０Ｂにおける着信通知内のメッセージ本文の文末有無判断が容易になる。
また、本実施形態によれば、ファイル添付無しのＭＭＳメッセージの着信通知にメッセージ本文の全体が含まれているとき、携帯電話機１０Ｂは、メッセージ本文の全体を受信した旨を通知するためのメッセージ全文完結通知をＭＭＳＣ２５に送信する。このメッセージ全文完結通知をＭＭＳＣ２５が受信することにより、メッセージ全文完結通知に基づいて、携帯電話機１０Ｂへの配信が完了して不要になったＭＭＳメッセージの削除処理などを行うことができる。
【００６４】
なお、上記実施形態ではＭＭＳメッセージの着信通知を受信する携帯電話機の場合について説明したが、本発明は、ＭＭＳメッセージの着信通知を受信するものであれば、携帯電話機以外の他の移動体通信端末の場合についても同様に適用することができる。
【図面の簡単な説明】
【００６５】
【図１】本発明の実施形態に係る通信システム全体の概略構成の一例を示す説明図。
【図２】ＭＭＳＣのハードウェア構成を示す概略構成図。
【図３】ＭＭＳＣの主要な機能を抽出して示した機能ブロック図。
【図４】ＭＭＳメッセージの説明図。
【図５】携帯電話機の一構成例を示す外観図。
【図６】携帯電話機のハードウェア構成を示す概略構成図。
【図７】携帯電話機におけるソフトウェア構造の説明図。
【図８】携帯電話機の主要な機能を抽出して示した機能ブロック図。
【図９】携帯電話機間でＭＭＳメッセージを送受信するときの処理手順の一例を示すシーケンス図。
【図１０】ＭＭＳメッセージを受信するときの画面遷移の説明図。
【図１１】ＭＭＳＣにおいてＭＭＳメッセージの着信通知を送信するときの制御手順の一例を示すフローチャート。
【図１２】携帯電話機においてＭＭＳメッセージの着信通知を受信して出力するときの制御手順の一例を示すフローチャート。
【図１３】着信通知にメッセージ本文全体を含む場合の携帯電話機の着信通知画面の説明図。
【図１４】ＭＭＳＣにおいてメッセージ着信通知応答を受信したときのメッセージ処理手順の一例を示すフローチャート。
【符号の説明】
【００６６】
１０    携帯電話機
１０Ａ  送信側の携帯電話機
１０Ｂ  受信側の携帯電話機
２０    携帯電話通信網
２５    ＭＭＳＣ（マルチメディアメッセージングサービスセンター）
２７    ＰＰＧ（プッシュプロキシゲートウェイ）サーバ
２９    ＳＭＳＣ（ショートメッセージサービスセンター）
【図１】
2006119853.tif 000003
【図２】
2006119853.tif 000004
【図３】
2006119853.tif 000005
【図４】
2006119853.tif 000006
【図５】
2006119853.tif 000007
【図６】
2006119853.tif 000008
【図７】
2006119853.tif 000009
【図８】
2006119853.tif 000010
【図９】
2006119853.tif 000011
【図１０】
2006119853.tif 000012
【図１１】
2006119853.tif 000013
【図１２】
2006119853.tif 000014
【図１３】
2006119853.tif 000015
【図１４】
2006119853.tif 000016